(57)【要約】【課題】  ユーザがバリアブルプリントを行う際に、マスタページとバリアブルページのオブジェクトの色が近い場合にマスタページとバリアブルページのオブジェクトの境界を明瞭にする【解決手段】  マスタページとバリアブルページとを組み合わせて印刷するバリアブルプリントを行う際に、マスタページとバリアブルページ内にあるオブジェクトのエッジ近傍の色を比較し、マスタページとバリアブルページ内にあるオブジェクトのエッジ近傍の色が類似する場合には、マスタページを、バリアブルページ内にあるオブジェクトの色と類似しない色のマスタページに変更し、変更されたマスタページとバリアブルページを組み合わせて印刷する。【選択図】  図１
2006345313.tif 000002
【特許請求の範囲】
【請求項１】
マスタページとバリアブルページとを組み合わせて印刷するバリアブルプリントを行う画像処理装置において、
前記マスタページと前記バリアブルページの境目近傍の色を比較する比較手段と、
前記マスタページと前記バリアブルページの境目近傍の色が類似する場合には、前記マスタページを、前記バリアブルページの色と類似しない色のマスタページに変更する変更手段と
前記変更されたマスタページと前記バリアブルページを組み合わせて印刷する印刷手段と
を備えることを特徴とする画像処理装置。
【請求項２】
前記変更手段は、前記バリアブルページの色と類似しない色のマスタページを提示し、前記マスタページの中から選択されたマスタページに変更することを特徴とする請求項１に記載の画像処理装置。
【請求項３】
マスタページとバリアブルページとを組み合わせて印刷するバリアブルプリントを行う画像処理装置において、
前記マスタページと前記バリアブルページの境目近傍の色を比較する比較手段と、
前記マスタページと前記バリアブルページの境目近傍の色が類似する場合には、前記バリアブルページを、前記マスタページの色と類似しない色のバリアブルページに変更する変更手段と
前記マスタページと前記変更されたバリアブルページを組み合わせて印刷する印刷手段と
を備えることを特徴とする画像処理装置。
【請求項４】
前記変更手段は、前記バリアブルページに対して主走査または副走査方向に移動、任意の角度に回転、鏡像化、拡大縮小のいずれかの処理又はそれらの組み合わせの処理を行うことにより前記バリアブルページを変更することを特徴とする請求項３に記載の画像処理装置。
【請求項５】
前記比較手段は、前記マスタページと前記バリアブルページ境目近傍の色のＹ、Ｍ、Ｃ、Ｂｋ各成分の濃度を比較することを特徴とする請求項１から４のいずれか１に記載の画像処理装置。
【請求項６】
前記マスタページと前記バリアブルページの境目近傍の色が類似する場合には、ユーザに対して警告を送信する警告手段を更に備えることを特徴とする請求項１から５のいずれか１に記載の画像処理装置。
【請求項７】
マスタページとバリアブルページとを組み合わせて印刷するバリアブルプリントを行う画像処理装置において、
前記マスタページと前記バリアブルページの境目近傍の色を比較する比較手段と、
前記マスタページと前記バリアブルページの境目近傍の色が類似する場合には、ユーザからの指示にしたがって、前記マスタページを変更する変更手段と
前記変更されたマスタページと前記バリアブルページを組み合わせて印刷する印刷手段と
を備えることを特徴とする画像処理装置。
【請求項８】
マスタページとバリアブルページとを組み合わせて印刷するバリアブルプリントを行う画像処理装置において、
前記マスタページと前記バリアブルページの境目近傍の色を比較する比較手段と、
前記マスタページと前記バリアブルページの境目近傍の色が類似する場合には、ユーザからの指示にしたがって、前記バリアブルページを変更する変更手段と
前記マスタページと前記変更されたバリアブルページを組み合わせて印刷する印刷手段と
を備えることを特徴とする画像処理装置。
【請求項９】
前記マスタページと前記バリアブルページの境目近傍の色が類似する場合には、ユーザに対して警告を送信する警告手段を更に備えることを特徴とする請求項７又は８に記載の画像処理装置。
【請求項１０】
前記警告手段は、複数の警告先に警告を送信することを特徴とする請求項９に記載の画像処理装置。
【請求項１１】
前記警告手段は、前記類似の程度に応じて警告先又は警告に伴う動作を選択することを特徴とする請求項９に記載の画像処理装置。
【請求項１２】
前記警告に伴う動作は、印刷停止、印刷続行又は印刷データの破棄であることを特徴とする請求項１１に記載の画像処理装置。
【請求項１３】
マスタページとバリアブルページとを組み合わせて印刷するバリアブルプリントを行う画像処理方法において、
前記マスタページと前記バリアブルページの境目近傍の色を比較する比較ステップと、
前記マスタページと前記バリアブルページの境目近傍の色が類似する場合には、前記マスタページを、前記バリアブルページの色と類似しない色のマスタページに変更する変更  ステップと
前記変更されたマスタページと前記バリアブルページを組み合わせて印刷する印刷ステップと
を含むことを特徴とする画像処理方法。
【請求項１４】
前記変更ステップは、前記バリアブルページの色と類似しない色の複数種のマスタページをユーザに提示し、前記マスタページを前記ユーザにより選択されたマスタページに変更することを特徴とする請求項１３に記載の画像処理方法。
【請求項１５】
前記比較ステップは、前記マスタページと前記バリアブルページ境目近傍の色のＹ、Ｍ、Ｃ、Ｂｋ各成分の濃度を比較することを特徴とする請求項１３又は１４に記載の画像処理方法。
【請求項１６】
前記マスタページと前記バリアブルページの境目近傍の色が類似する場合には、ユーザに対して警告を送信する警告ステップを更に備えることを特徴とする請求項１３又は１４に記載の画像処理方法。
【請求項１７】
マスタページとバリアブルページとを組み合わせて印刷するバリアブルプリントを行う画像処理方法において、
前記マスタページと前記バリアブルページの境目近傍の色を比較する比較ステップと、
前記マスタページと前記バリアブルページの境目近傍の色が類似する場合には、ユーザからの指示にしたがって、前記マスタページを変更する変更ステップと
前記変更されたマスタページと前記バリアブルページを組み合わせて印刷する印刷ステップと
を含むことを特徴とする画像処理方法。
【請求項１８】
前記マスタページと前記バリアブルページの境目近傍の色が類似する場合には、ユーザに対して警告を送信する警告ステップを更に備えることを特徴とする請求項１７に記載の画像処理方法。
【請求項１９】
前記警告ステップは、複数の警告先に警告を送信することを特徴とする請求項１８に記載の画像処理方法。
【請求項２０】
前記警告ステップは、前記類似の程度に応じて警告先又は警告に伴う動作を選択することを特徴とする請求項１８に記載の画像処理方法。
【請求項２１】
前記警告に伴う動作は、印刷停止、印刷続行又は印刷データの破棄であることを特徴とする請求項２０に記載の画像処理方法。
【請求項２２】
マスタページとバリアブルページとを組み合わせて印刷するバリアブルプリントを行うプログラムにおいて、
前記マスタページと前記バリアブルページの境目近傍の色を比較する比較ステップと、
前記マスタページと前記バリアブルページの境目近傍の色が類似する場合には、前記マスタページを、前記バリアブルページの色と類似しない色のマスタページに変更する変更  ステップと
前記変更されたマスタページと前記バリアブルページを組み合わせて印刷する印刷ステップと
をコンピュータに実行させるためのプログラム。
【請求項２３】
マスタページとバリアブルページとを組み合わせて印刷するバリアブルプリントを行うプログラムにおいて、
前記マスタページと前記バリアブルページの境目近傍の色を比較する比較ステップと、
前記マスタページと前記バリアブルページの境目近傍の色が類似する場合には、ユーザからの指示にしたがって、前記マスタページを変更する変更ステップと
前記変更されたマスタページと前記バリアブルページを組み合わせて印刷する印刷ステップと
をコンピュータに実行させるためのプログラム。
【請求項２４】
第一のマスタページとバリアブルページにあるオブジェクトのエッジ近傍の色を比較する比較手段と、
前記第一のマスタページと前記オブジェクトのエッジ近傍の色の差が所定のしきい値よりも小さい場合、前記第一のマスタページを前記オブジェクトの色と類似しない色である第二のマスタページに変更する変更手段と
を備えることを特徴とする画像処理装置。
【請求項２５】
前記変更手段は、前記オブジェクトの色と類似しない色のマスタページを提示し、前記マスタページの中から選択された第二のマスタページに変更することを特徴とする請求項２４に記載の画像処理装置。
【請求項２６】
第一のマスタページとバリアブルページにあるオブジェクトのエッジ近傍の色を比較する比較ステップと、
前記第一のマスタページと前記オブジェクトのエッジ近傍の色の差が所定のしきい値よりも小さい場合、前記第一のマスタページを前記オブジェクトの色と類似しない色である第二のマスタページに変更する変更ステップと
を含むことを特徴とする画像処理方法。
【請求項２７】
コンピュータに、
第一のマスタページとバリアブルページにあるオブジェクトのエッジ近傍の色を比較する比較ステップと、
前記第一のマスタページと前記オブジェクトのエッジ近傍の色の差が所定のしきい値よりも小さい場合、前記第一のマスタページを前記オブジェクトの色と類似しない色である第二のマスタページに変更する変更ステップと
を実行させるためのプログラム。
【発明の詳細な説明】
【技術分野】
【０００１】
本発明は、デジタル複合機等の画像処理装置、画像処理方法及びプログラムに関し、特に、バリアブルプリント時に明瞭な画像を印刷する画像処理装置等に関する。
【背景技術】
【０００２】
従来から、バリアブルプリントという印刷機能がある。この印刷機能は、マスタページと呼ばれる背景にあたる画像と、バリアブルページと呼ばれる画像（飾り文字、写真画像等）を組み合わせて印刷する機能である。実際の印刷では、複数のマスタページと複数のバリアブルページが用意され、それぞれを自動的に組み合わせて印刷する。
【０００３】
【特許文献１】特開２００２−３４２０３９号公報
【発明の開示】
【発明が解決しようとする課題】
【０００４】
しかしながら、従来のバリアブルプリント機能は、バリアブルページとマスタページを組み合わせた際の「見易さ」を判定することが出来なかった。このため、マスタページとバリアブルページに使用されている色が近い場合、印刷した結果、マスタページとバリアブルページの境目が不明瞭になり、バリアブルページがマスタページの中に視覚的に埋没し、又は、マスタページがバリアブルページの中に視覚的に埋没してしまうという問題があった。
【０００５】
本発明は、このような課題に鑑みてなされたもので、その目的とするところは、ユーザがバリアブルプリントを行う際に、マスタページとバリアブルページの色が近い場合に、マスタページとバリアブルページの境目近傍の色の類似を排除することによりマスタページとバリアブルページの境界を明瞭にする画像処理装置、画像処理方法、プログラムを提供することにある。
【０００６】
また、本発明の目的は、バリアブルプリントにおいて、印刷するとバリアブルページがマスタページの中に視覚的に埋没してしまう可能性がある場合、または、マスタページがバリアブルページの中に視覚的に埋没してしまう可能性がある場合に、それをユーザに警告することによりバリアブルページとマスタページの組み合わせの変更をユーザに促す画像処理装置、画像処理方法、プログラムを提供することにある。
【課題を解決するための手段】
【０００７】
そこで、上記の課題を解決するために、本発明の画像処理装置は、マスタページとバリアブルページとを組み合わせて印刷するバリアブルプリントを行う画像処理装置において、前記マスタページと前記バリアブルページの境目近傍の色を比較する比較手段と、前記マスタページと前記バリアブルページの境目近傍の色が類似する場合には、前記マスタページを、前記バリアブルページの色と類似しない色のマスタページに変更する変更手段と前記変更されたマスタページと前記バリアブルページを組み合わせて印刷する印刷手段とを備えることを特徴とする。
【０００８】
また本発明の画像処理装置は、マスタページとバリアブルページとを組み合わせて印刷するバリアブルプリントを行う画像処理装置において、前記マスタページと前記バリアブルページの境目近傍の色を比較する比較手段と、前記マスタページと前記バリアブルページの境目近傍の色が類似する場合には、前記バリアブルページを、前記マスタページの色と類似しない色のバリアブルページに変更する変更手段と前記マスタページと前記変更されたバリアブルページを組み合わせて印刷する印刷手段とを備えることを特徴とする。
【０００９】
また本発明の画像処理装置は、マスタページとバリアブルページとを組み合わせて印刷するバリアブルプリントを行う画像処理装置において、前記マスタページと前記バリアブルページの境目近傍の色を比較する比較手段と、前記マスタページと前記バリアブルページの境目近傍の色が類似する場合には、ユーザからの指示にしたがって、前記マスタページを変更する変更手段と前記変更されたマスタページと前記バリアブルページを組み合わせて印刷する印刷手段とを備えることを特徴とする。
【００１０】
また本発明の画像処理装置は、マスタページとバリアブルページとを組み合わせて印刷するバリアブルプリントを行う画像処理装置において、前記マスタページと前記バリアブルページの境目近傍の色を比較する比較手段と、前記マスタページと前記バリアブルページの境目近傍の色が類似する場合には、ユーザからの指示にしたがって、前記バリアブルページを変更する変更手段と前記マスタページと前記変更されたバリアブルページを組み合わせて印刷する印刷手段とを備えることを特徴とする。
【００１１】
また本発明の画像処理方法は、マスタページとバリアブルページとを組み合わせて印刷するバリアブルプリントを行う画像処理方法において、前記マスタページと前記バリアブルページの境目近傍の色を比較する比較ステップと、前記マスタページと前記バリアブルページの境目近傍の色が類似する場合には、前記マスタページを、前記バリアブルページの色と類似しない色のマスタページに変更する変更ステップと前記変更されたマスタページと前記バリアブルページを組み合わせて印刷する印刷ステップとを含むことを特徴とする。
【００１２】
また本発明の画像処理方法は、マスタページとバリアブルページとを組み合わせて印刷するバリアブルプリントを行う画像処理方法において、前記マスタページと前記バリアブルページの境目近傍の色を比較する比較ステップと、前記マスタページと前記バリアブルページの境目近傍の色が類似する場合には、前記バリアブルページを、前記マスタページの色と類似しない色のバリアブルページに変更する変更ステップと前記マスタページと前記変更されたバリアブルページを組み合わせて印刷する印刷ステップとを含むことを特徴とする。
【００１３】
また本発明の画像処理方法は、マスタページとバリアブルページとを組み合わせて印刷するバリアブルプリントを行う画像処理方法において、前記マスタページと前記バリアブルページの境目近傍の色を比較する比較ステップと、前記マスタページと前記バリアブルページの境目近傍の色が類似する場合には、ユーザからの指示にしたがって、前記マスタページを変更する変更ステップと前記変更されたマスタページと前記バリアブルページを組み合わせて印刷する印刷ステップとを含むことを特徴とする。
【００１４】
また本発明の画像処理方法は、マスタページとバリアブルページとを組み合わせて印刷するバリアブルプリントを行う画像処理方法において、前記マスタページと前記バリアブルページの境目近傍の色を比較する比較ステップと、前記マスタページと前記バリアブルページの境目近傍の色が類似する場合には、ユーザからの指示にしたがって、前記バリアブルページを変更する変更ステップと前記マスタページと前記変更されたバリアブルページを組み合わせて印刷する印刷ステップとを含むことを特徴とする。
【００１５】
また本発明のプログラムは、マスタページとバリアブルページとを組み合わせて印刷するバリアブルプリントを行うプログラムにおいて、前記マスタページと前記バリアブルページの境目近傍の色を比較する比較ステップと、前記マスタページと前記バリアブルページの境目近傍の色が類似する場合には、前記マスタページを、前記バリアブルページの色と類似しない色のマスタページに変更する変更ステップと前記変更されたマスタページと前記バリアブルページを組み合わせて印刷する印刷ステップとをコンピュータに実行させることを特徴とする。
【００１６】
また本発明のプログラムは、マスタページとバリアブルページとを組み合わせて印刷するバリアブルプリントを行うプログラムにおいて、前記マスタページと前記バリアブルページの境目近傍の色を比較する比較ステップと、前記マスタページと前記バリアブルページの境目近傍の色が類似する場合には、前記バリアブルページを、前記マスタページの色と類似しない色のバリアブルページに変更する変更ステップと前記マスタページと前記変更されたバリアブルページを組み合わせて印刷する印刷ステップとをコンピュータに実行させることを特徴とする。
【００１７】
また本発明のプログラムは、マスタページとバリアブルページとを組み合わせて印刷するバリアブルプリントを行うプログラムにおいて、前記マスタページと前記バリアブルページの境目近傍の色を比較する比較ステップと、前記マスタページと前記バリアブルページの境目近傍の色が類似する場合には、ユーザからの指示にしたがって、前記マスタページを変更する変更ステップと前記変更されたマスタページと前記バリアブルページを組み合わせて印刷する印刷ステップとをコンピュータに実行させることを特徴とする。
【００１８】
さらに本発明のプログラムは、マスタページとバリアブルページとを組み合わせて印刷するバリアブルプリントを行うプログラムにおいて、前記マスタページと前記バリアブルページの境目近傍の色を比較する比較ステップと、前記マスタページと前記バリアブルページの境目近傍の色が類似する場合には、ユーザからの指示にしたがって、前記バリアブルページを変更する変更ステップと前記マスタページと前記変更されたバリアブルページを組み合わせて印刷する印刷ステップとをコンピュータに実行させることを特徴とする。
【００１９】
また本発明の画像処理装置は、第一のマスタページとバリアブルページにあるオブジェクトのエッジ近傍の色を比較する比較手段と、前記第一のマスタページと前記オブジェクトのエッジ近傍の色の差が所定のしきい値よりも小さい場合、前記第一のマスタページを前記オブジェクトの色と類似しない色である第二のマスタページに変更する変更手段とを備えることを特徴とする。
【００２０】
また本発明の画像処理方法は、第一のマスタページとバリアブルページにあるオブジェクトのエッジ近傍の色を比較する比較ステップと、前記第一のマスタページと前記オブジェクトのエッジ近傍の色の差が所定のしきい値よりも小さい場合、前記第一のマスタページを前記オブジェクトの色と類似しない色である第二のマスタページに変更する変更ステップとを含むことを特徴とする。
【００２１】
さらに本発明のプログラムは、コンピュータに、第一のマスタページとバリアブルページにあるオブジェクトのエッジ近傍の色を比較する比較ステップと、前記第一のマスタページと前記オブジェクトのエッジ近傍の色の差が所定のしきい値よりも小さい場合、前記第一のマスタページを前記オブジェクトの色と類似しない色である第二のマスタページに変更する変更ステップとを実行させることを特徴とする。
【発明の効果】
【００２２】
本発明によれば、バリアブルプリントを行う際に、マスタページとバリアブルページの境目近傍の色の類似を排除でき、これによって、バリアブルページがマスタページの中に埋没すること及びマスタページがバリアブルページの中に埋没することを回避することができ、ひいては、バリアブルプリントの印刷失敗コストを軽減できる。
【００２３】
また、本発明によれば、バリアブルプリントを行う際に、バリアブルページに対して主走査または副走査方向に移動、任意の角度に回転、鏡像化、拡大縮小のいずれか又はそれらの組み合わせの処理等のレイアウト変更を行うことでマスタページとバリアブルページの境目近傍の色の類似を排除でき、これによって、バリアブルページがマスタページの中に埋没すること及びマスタページがバリアブルページの中に埋没することを回避することができ、ひいては、バリアブルプリントの印刷失敗コストを軽減できる。
【００２４】
さらに、本発明によれば、バリアブルプリントを行う際に、バリアブルページがマスタページの中に視覚的に埋没してしまう可能性がある場合、または、マスタページがバリアブルページの中に視覚的に埋没してしまう可能性がある場合に、バリアブルページとマスタページの組み合わせの変更をユーザに促すことができ、ひいては、バリアブルプリントの印刷失敗コストを軽減できる。
【発明を実施するための最良の形態】
【００２５】
（第１の実施形態）
最初に、デジタル複合機の構成、機能を図面を参照して詳細に説明する。  
図２は、ホストコンピュータとデジタル複合機の構成を示すブロック図である。
【００２６】
図２におけるホストコンピュータ１４０１の構成を、図１４の１４０１のブロックに示す。ホストコンピュータ１４０１は、ＲＯＭ１４０３等に格納されているプログラムに従ってＣＰＵバス２ａを介して、画像処理装置と間の制御を行うＣＰＵ１４０２と、ＣＰＵ１４０２のワークエリアとして使用され、その内部にワーク領域４ａを有するＲＡＭ１４０４と、他のホストコンピュータやプリンタ等との間で双方向通信処理を行う通信制御部１４０５と、操作部（キーボード等の入力装置）１４０６と、ハードディスク等の外部記憶装置１４０７と、表示部１４０８(例えばＣＲＴ表示装置など)と、ホストコンピュータ１４０１と画像処理装置１４１５１５を接続する外部通信ポート１４０９とを備える。
【００２７】
一方、図２によると、デジタル複合機２０２は、デジタル複合機全体の動作を制御する制御ユニット２０４、出力画像の記録紙への印刷を行うプリンタ装置２１４、記録紙から入力画像を読み取り、データとして装置内部に取り込むリーダ装置２１８、ユーザ毎にコマンドの制限を行う情報の入力や、機器全体の操作、および、エラーや操作ガイドなどの表示を行う操作パネル部２０８、外部メモリ２１０を備える。
【００２８】
制御ユニット２０４は、ネットワーク２０１と繋がる通信線２０３を介して個々のホストコンピュータ１４０１（クライアント、サーバ等）との入出力動作を行う入出力部２０５を通じて、ホストコンピュータ１４０１との通信を行う。
【００２９】
入出力バッファ２０６は、ネットワークより入力される印刷のための制御コードや各種ＰＤＬデータを含む各種データや装置内の各種データの送受信を行う。
【００３０】
ＣＰＵ２０７は、制御ユニット全体の動作を制御する。
【００３１】
プログラムＲＯＭ２２２は、ＣＰＵの動作を記述するプログラムを格納する。
【００３２】
ＲＡＭ２１２は、制御コード、データの解釈や印刷、画像の読み込みに等に必要な計算、入出力される画像データの処理のためのワークメモリとしての役割を果たす。
【００３３】
不揮発性ＲＡＭ（ＮＶＲＡＭ）２３３は、デジタル複合機の電源が遮断されても保持しておく必要のあるデータを格納する。
【００３４】
プログラムＲＯＭ２２２には、ホストコンピュータ１４０１から受信した印刷制御データを解釈する制御データ解釈部２２３、ＰＤＬ（ページ記述言語）を解釈するＰＤＬデータ解釈部２２４、各種の画像オブジェクトを生成する画像情報生成部２２５、画像オブジェクトをビットマップ画像に展開するビットマップ画像展開部２２６、それぞれの処理により得られたビットマップ画像を圧縮／解凍を行う画像圧縮／解凍部２２７、画像データの印刷時の制御を行う画像データ印刷部２２８、画像データの送信時の制御を行う画像データ送信部２２９、画像データのスキャン時の制御を行う画像データ読み取り部２３０、展開された画像や、ＰＤＬのデータを再利用して印字し、又は、定型のフォームとして利用するオーバレイのデータを外部メモリ２１０に保持して管理する登録画像管理部２３１、機器を利用できるユーザのユーザ名、パスワード等のユーザ情報を管理するユーザ管理部２３２、データやパネルにより機器にアクセスされた場合にユーザの認証を行うユーザ認証部２３６、バリアブルプリント時の色処理不具合の警告とその色処理不具合の解消を行う画像合成部２３７が、各々、プログラムとして格納される。
【００３５】
ビットマップ画像転送部２１７は、ビットマップ画像展開部２２６によって展開されたビットマップ画像や、リーダ装置２１８より読み込まれたビットマップ画像等をプリンタ装置２１４に転送する。
【００３６】
エンジンインタフェース部２１６は、プリンタ装置２１４と制御ユニット２０４との間のインタフェースをとる。スキャナインタフェース部２２０は、リーダ装置２１８と制御ユニット２０４との間のインタフェースをとる。
【００３７】
ビットマップ画像受信部２２１は、リーダ装置２１８から読み込まれたビットマップ画像を取り込む。
【００３８】
パネルインタフェース部２０９は、制御ユニット２０４と操作パネル２０８との間のインタフェースをとる。
【００３９】
メモリインタフェース部２１１は、印刷データや外部より入力された画像データ、プリンタ装置２１４の各種情報等を保存する外部メモリ２１０と、制御ユニット２０４との間のインタフェースをとる。
【００４０】
システムバス２１３は、上記の各ユニット間のデータ転送を行う。
【００４１】
操作パネル２０８は、登録されている登録画像を表示し、又は、印刷状況等、デジタル複写機２０２の各種情報を表示する液晶パネルである。この液晶パネルは、同時にタッチパネルとなっており、ユーザが触れた場合に、その入力を検知して、画面から、文字情報の入力等を行うことが可能となっている。また、この液晶パネルは、コピー等のスタートを指示するスタートキー、機器のリセットを行うリセットキー、電源ＯＮ/ＯＦＦのスイッチ、コピー枚数等を指定するためのテンキー、液晶パネルに表示されているカーソルの移動や表示されている機能の選択を行うときに利用するカーソルキーと決定キー、デジタル複合機２０２の機能をコピー、画像送信、文書管理のそれぞれのモードに切り替える機能キー、また、利用するユーザを識別し、認証するためのログインキーを備える。
【００４２】
プリンタ装置２１４は、紙の給紙から印刷、排出までの印刷の制御を行うエンジン制御部２１５を備える。
【００４３】
リーダ装置２１８は、画像を読み込むための記録紙の給紙、画像の読み込み、排出までの画像読み込みの制御を行うスキャナ制御部２１９を備える。
【００４４】
図２に示すデジタル複合機２０２は、図３に示すように、プリンタ装置２１４の筐体３０１と、リーダ装置２１８とから構成される。
【００４５】
リーダ装置２１８は、原稿用紙を給送するための原稿給紙ユニット３２８と、原稿を読み取るためのスキャナユニット３２７を備える。
【００４６】
筐体３０１は、プリンタ装置２１４を構成するための各機構と、その各機構による各印刷プロセス処理に関する制御を行うエンジン制御部２１５、図２に示す制御ユニット２０４を収納する制御ボード収納部３０３を備える。
【００４７】
スキャナユニット３２７は、原稿給紙ユニット３２８およびスキャナユニット３２７の各機構による各読み取りプロセス処理に関する制御を行うスキャナ制御部２１９を備える。
【００４８】
プリンタ装置２１４は、当該装置に垂直方向に併設された像担持体として、４個の感光体ドラム３１０（３１０Ｋ、３１０Ｍ、３１０Ｃ、３１０Ｙ）を備える。
【００４９】
感光体ドラム３１０は、駆動手段（図示せず）によって、図３において時計回りの方向に回転駆動される。感光体ドラム３１０の周囲には、その回転方向に従って順に、感光体ドラム３１０の表面を均一に帯電する帯電装置３１１（３１１Ｋ、３１１Ｍ、３１１Ｃ、３１１Ｙ）、画像情報に基いてレーザビームを照射し、感光体ドラム３１０上の静電潜像を形成する印刷スキャナ部３１２（３１２Ｋ、３１２Ｍ、３１２Ｃ、３１２Ｙ）、静電潜像にトナーを付着させてトナー像として現像する現像装置３１３（３１３Ｋ、３１３Ｍ、３１３Ｃ、３１３Ｙ）、感光体ドラム３１０上のトナー像を転写材３０４に転写させる静電搬送転写装置３１４、転写後の感光体ドラム３１０表面に残った転写後トナーを除去するクリーニング装置３１５ は（３１５Ｋ、３１５Ｍ、３１５Ｃ、３１５Ｙ）、一体的にカートリッジ化され筐体３０１に着脱可能なプロセスカートリッジ３１６（３１６Ｋ、３１６Ｍ、３１６Ｃ、３１６Ｙ）が備わっている。
【００５０】
次に各部の構成について順次説明する。
【００５１】
感光体ドラム３１０は、有機光伝導体層（ＯＰＣ感光体)を流布して構成したものである。感光体ドラム３１０は、その両端部を支持部材によって回転自在に支持されており、一方の端部に駆動モータ(図示せず)からの駆動力が伝達されることにより、時計回りに回転駆動される。
【００５２】
各帯電装置３１１は、ローラ状に形成された導電性ローラで、このローラを感光体ドラム３１０表面に当接させるとともに、このローラに電源(図示せず)によって帯電バイアス電圧を印加することにより、感光体ドラム３１０表面を一様に帯電させる。
【００５３】
印刷スキャナ部３１２は、感光体ドラム３１０の水平方向に配置され、レーザダイオード(図示せず)によって画像信号に対応する画像光がスキャナモータによって高速回転されるポリゴンミラー３１８（３１８Ｋ、３１８Ｍ、３１８Ｃ、３１８Ｙ）に照射される。ポリゴンミラーに反射した画像光は、結像レンズ３１７（３１７Ｋ、３１７Ｍ、３１７Ｃ、３１７Ｙ）を介して帯電済みの感光体ドラム３１０表面を選択的に露光して静電潜像を形成する。
【００５４】
現像装置３１３（３１３Ｋ、３１３Ｍ、３１３Ｃ、３１３Ｙ）はそれぞれ転写材３０４の搬送方向上流側(図中の下側)から順に、イエロー、シアン、マゼンタ、ブラックの各色のトナーをそれぞれ収納した現像器から構成される。感光体ドラム３１０上の静電潜像の現像時には、対応する現像器の容器内のトナーを送り機構によって塗布ローラ３１３ｋ１、３１３ｍ１、３１３ｃ１、３１３ｙ１に送りこみ、回転する現像ローラ３１３ｋ２、３１３ｍ２、３１３ｃ２、３１３ｙ２の外周にトナーを薄層塗布し、且つトナーへ電荷を付与(摩擦帯電)する。この現像ローラと、静電潜像が形成された感光体ドラム３１０との間に現像バイアスを印加することにより、静電潜像にトナーを付着させてトナー像として現像する。
【００５５】
クリーニング装置３１５は、現像装置３１３によって感光体ドラム３１０上に現像されたトナーが転写材３０４に転写された後、転写されないで感光体ドラム３１０表面に残ったいわゆる転写残トナーを除去する。
【００５６】
全ての感光体ドラム３１０Ｋ、３１０Ｍ、３１０Ｃ、３１０Ｙに対向し、接するように循環移動するベルト部材としての静電搬送ベルト３０８が配設されている。この静電搬送ベルト３０８は、垂直方向に４軸でローラに支持され、図中左側の外周面に転写材３０４を静電吸着して感光体ドラム３１０に転写材３０４を接触させるべく循環移動する。また、静電搬送ベルト３０８の転写材搬送方向上流(図中下側)には吸着ローラ３０９が当接している。転写材３０４の搬送に際しては、吸着ローラ３０９にバイアス電圧を印加することで、接地されたローラ３１８ａとの間に電界を形成し、静電搬送ベルト３０８および転写材３０４の間に誘電分極を発生させて両者に静電吸着力を生じさせる。これにより、転写材３０４は静電搬送ベルト３０８により転写位置まで搬送され、感光体ドラム３１０上のトナー像が順次転写される。
【００５７】
静電搬送ベルト３０８の内側(裏面側)に当接し、４個の感光体ドラム３１０Ｋ、３１０Ｍ、３１０Ｃ、３１０Ｙに対応して転写部材としての転写ローラ３１９（３１９ｋ、３１０ｍ、３１０ｃ、３１０ｙ）が併設されている。転写ローラ３１９には転写バイアス用電源(図示せず)が接続されている。転写ローラ３１９は、感光体ドラム３１０と対向し、転写部を形成する。転写ローラ３１９から正極性の電荷が静電搬送ベルト３０８を介して転写材３０４に印加され、この電荷による電界により、感光体ドラム３１０に接触中の転写材３０４に、感光体ドラム３１０上の負極性のトナー像が転写される。
【００５８】
静電搬送ベルト３０８は、駆動ローラ３２０、従動ローラ３１８ａ、３１８ｂ、テンションローラ３２１の４本のローラにより掛け渡され、図の時計回りの方向に回転する。これにより、上述した静電搬送ベルト３０８が循環移動して転写材３０４が従動ローラ３１８ａ側から駆動ローラ３２０側へ搬送される間に感光体ドラム上のトナー像を転写される。
【００５９】
給送部３２２は、画像形成部に転写材３０４を給送するものであり、複数枚の転写材３０４が給送カセット３０５に収納されている。画像形成時には、給送ローラ３０６(半月ローラ)、レジストローラ対３０７が画像形成動作に応じて駆動回転し、給送カセット３０５内の転写材３０４を１枚ずつ分離給送するとともに、転写材３０４の先端は、レジストローラ対３０７に突き当たり、一旦停止し、ループを形成した後、静電搬送ベルト３０８へと再給送されていく。
【００６０】
定着部３２３は、転写材３０４に転写された複数のトナー画像を定着させるものであり、駆動回転する加熱ローラ３２４とこれに圧接して転写材３０４に熱及び圧力を印加する加圧ローラ３２５とからなる。すなわち、感光体ドラム３１０上のトナー像を転写した転写材３０４は定着部３２３を通過する際に定着ローラ対３２４、３２５で搬送されると共に、定着ローラ対３２４、３２５によって熱及び圧力を印加される。これによって複数色のトナー像が転写材３０４の表面に定着される。
【００６１】
また、イエロー、マゼンタ、シアンのプロセスカートリッジ３１６Ｙ、３１６Ｍ、３１６Ｃは図示しない昇降機構によって感光体ドラム３１０Ｙ、３１０Ｍ、３１０Ｃが静電搬送ベルト３０８に当接した状態から左方へ移動し、静電搬送ベルト３０８から離間した位置へ移動可能に構成されている。そして、選択された印刷モードに応じて昇降機構が動作するようになっている。すなわち、前述のエンジン制御部２１５におけるカラー／モノクロ印刷制御において、カラー文書を印刷する場合には、カラーモードとして動作し、感光体ドラム３１０Ｙ、３１０Ｍ、３１０Ｃが静電搬送ベルト３０８に当接した状態となり、各転写ローラ３１９Ｙ、３１９Ｍ、３１９Ｃ、３１９Ｋからの電圧印加により、感光体ドラム３１０のトナー像がイエロー、マゼンタ、シアン、ブラックの順で順次転写される。一方、モノクロ文書を印刷する場合には、モノクロモードとして動作し、昇降機構によって、感光体ドラム３１０Ｙ、３１０Ｍ、３１０Ｃを静電搬送ベルト３０８から離間させることによって、感光体ドラム３１０Ｋのみが静電搬送ベルト３０８に当接した状態となり、転写ローラ３１９Ｋからの電圧の印加により、感光体ドラム３１０Ｋのトナー像がブラックのみで転写されることになる。
【００６２】
このようにして、トナー像を転写された転写材３０４は、駆動ローラ３２０で静電搬送ベルト３０８から分離され、定着器３２３に至り、転写材３０４は、上記トナー像を熱定着された後、排出ローラ対３２６によって排出部Ｆに排出されることになる。
【００６３】
また、本デジタル複合機は、リーダ装置２１８から原稿用紙を読み取り画像を取り込むことができる。リーダ装置２１８の原稿給紙ユニット(ＤＦユニット)３２８は、原稿３２９を先頭順に１枚ずつプラテンガラス３３０上へ給送し、スキャナユニット３２７による原稿の読取り動作終了後、プラテンガラス３３０上の原稿を排出トレイ３３１に排出する。
【００６４】
原稿給紙ユニット３２８は、原稿の有無を検知するためのセンサ３３２を設けている。
【００６５】
スキャナユニット３２７は、原稿がプラテンガラス３３０上に搬送されると、ランプ３３３を点灯し、光学ユニット３３４の移動を図中左から右方向に開始して原稿を露光走査する。このときの原稿からの反射光は、ミラー３３５、３３６、３３７およびレンズ３３８を介してＣＣＤイメージセンサ(以下、ＣＣＤという)３３９へ導かれる。このように走査された原稿の画像は、ＣＣＤ３３９によって読み取られる。
【００６６】
ＣＣＤ３３９から出力される画像データは、所定の処理が施された後、図２に示すスキャナインタフェース部２２０を通して、制御ユニット２０４へ転送される。
【００６７】
原稿給紙ユニット３２８上には、図２に示す操作パネル部２０８を構成するための操作パネル３０２が取り付けられている。操作パネル３０２には、各機能および各機能に必要な情報の指示入力操作のためのスイッチ群、情報表示のためのＬＥＤ表示器、ＬＣＤ表示器が設けられている。また、プリンタコントローラにより印刷データ等の記憶に利用される図２に示す外部メモリ部２１０を構成するための外部メモリユニットが取り付けられている。
【００６８】
次に、図２を用いて、上述したシステム構成でのデジタル複合機のコントローラの機能、動作、ホストコンピュータ１４０１との連携動作を説明する。ここでは、例として、デジタル複合機とホストコンピュータ１４０１との動作を説明するが、ホストコンピュータ１４０１は、任意のコンピュータでよく、ネットワーク上のホストコンピュータであってもよい。
【００６９】
＜ユーザ認証＞
本デジタル複合機は、制御データの解釈中にユーザＩＤおよびパスワードを検出すると、そのユーザＩＤおよびパスワードを入力したユーザが本デジタル複合機を利用してよいかどうかのチェックがユーザ認証部２３６において行われる。 ユーザがホストコンピュータ１４０１で作成した文書の印刷の実行を指示すると、ホストコンピュータ１４０１から通信線２０３を介して制御コード、印刷データ(ＰＤＬで記述されたデータ等)が送信され、入出力部２０５、入力バッファ２０６を経由してＲＡＭ２１２に格納される。例えば、データは、パケットデータとして送信される。
【００７０】
パケットデータのヘッダにはパケットの種類を表すＩＤが格納されている。第１の実施形態においては、データは印刷データであるため、ヘッダには印刷データを示すＩＤが格納される。また、ヘッダの次には、機器制御データが格納されている。機器制御データは、機器の制御命令や、機器のデフォルト設定の変更、機器の管理状況等を設定するコマンド列である。また、機器制御データ中には、ホストコンピュータ１４０１において、予め機器を利用するために発行されているユーザＩＤと、ＩＤに対応したパスワードがデータの一部として埋め込まれている。更に、パケットデータには、機器制御データに続く、あるいは機器制御データに挟まれる形で、印刷データとしてＰＤＬのデータが含まれる。ユーザ認証部２３６は、入力されたパケットデータに格納されている機器制御データの解釈中にユーザＩＤを認識すると、ＮＶＲＡＭ２３３上に現在登録してあるユーザ情報を管理するユーザ情報管理テーブル２３４を参照してユーザＩＤおよびパスワードを確認する。確認した結果、認証が得られた場合には、機器制御データは、処理の終了まで、認証されたユーザ(以下、認証ユーザ)のモードで処理される。これに対して、ユーザＩＤが存在しない、パスワードが間違っているなどの理由により認証が得られない場合には、認証が得られないユーザ(以下、非認証ユーザ)に許される範囲で動作する。通常、ユーザ認証が完了するまで処理が待ち状態になるため、第１の実施形態で示すようにユーザによって処理が変わるような場合には、ユーザの認証処理はなるべく早く行えば他の処理を待たせなくてすむ。第１の実施形態においては、ユーザＩＤ、パスワードのデータは、他のコマンドよりも先に設定されていると仮定する。また、操作パネル部２０８においてもユーザ認証が行われる。操作パネル部２０８上でログインキーを押下すると、ユーザ名およびパスワードを入力するための画面が液晶パネルに現れ、カーソル等を使ってユーザＩＤおよびパスワードを入力することにより、ユーザ認証が行われ、各認証ユーザに応じた処理を行ってもよい。これに対して、ログインキーが押されずに操作された場合には、非認証ユーザとして許された範囲の操作を行ってもよい。
【００７１】
＜画像生成機能＞
本デジタル複合機は、ホストコンピュータ１４０１で指定した文書を印刷、あるいは、登録するための画像生成機能を備えている。ＣＰＵ２０７は、プログラムＲＯＭ２２２に格納されたプログラムに従い、受信したパケットデータから機器制御データの部分を切り出し、制御データ解釈部２２３によって機器の各種制御命令により実行される機能の指示や、機器のデフォルト情報の設定などを行う。このときに、ユーザ認証部２３６は、前述のユーザ認証を行う。ユーザ認証部２３６によるユーザ認証の処理と、制御データ解釈部２２３による処理が終ると、ＰＤＬコマンド解釈部２２４は、ＰＤＬデータの解釈を行う。次に、画像情報生成部２２５は、ＰＤＬデータを処理し、オブジェクトや文字、イメージデータ等の１つ１つの画像オブジェクトについての画像情報を生成する。そして、画像情報生成部２２５によって印刷を行う1ページ内の全ての画像オブジェクトの画像情報が生成された後、ビットマップ画像展開部２２６は、ページ内の画像オブジェクトを実際に印刷可能なビットマップ画像に展開し、ＲＡＭ２１２に格納する。次に、画像圧縮／解凍部２２７は、ビットマップ画像を圧縮して、圧縮画像としてＲＡＭ２１２に格納する。また、制御コードの指定によって、後述する画像登録機能と共に動作させることを目的として、制御データ解釈部２２３やＰＤＬデータ解釈部２２４からの処理が行われていないデータや、ビットマップ画像展開部２２６によって展開されていない画像(中間オブジェクト画像)をＲＡＭ２１２上に格納しておくことも可能である。
【００７２】
＜スキャン画像読み取り機能＞
本デジタル複合機は、リーダ装置部２１８を通して、原稿からの読み取り画像を印刷、あるいは登録するためのスキャン画像読み取り機能を備えている。ユーザからの指定により操作パネル部２０８から、あるいは、ホストコンピュータ１４０１からの制御コマンドによりスキャンの指示が行われる。操作パネル部２０８からの指示の場合には、操作パネル部２０８からパネルインタフェース部２０９を介して入力されたユーザ指示に従い、ＣＰＵ２０７は、プログラムＲＯＭ２２２に格納された画像データ読み取り部２３０のプログラムを用いてスキャナインタフェース部２２０を通してリーダ装置２１８を動かし、リーダ装置２１８から原稿文書のスキャン画像を、スキャナインタフェース部２２０を通して取り込み、取り込んだ画像をビットマップ画像受信部２２１を介してＲＡＭ２１２に格納し、画像圧縮／解凍部２２７を用いてビットマップ画像を圧縮し、圧縮画像としてＲＡＭ２１２に格納する。
【００７３】
＜画像登録機能＞
本デジタル複合機は、前述の画像生成機能、あるいは、前述のスキャン画像読み取り機能によって得られた画像を外部メモリ部２１０に登録して保存する画像登録機能を備えている。 画像生成機能、あるいは、スキャン画像読み取り機能によって得られた画像の外部メモリ部２１０への登録が指定されると、ＲＡＭ２１２に格納されていた圧縮画像は、メモリインタフェース部２１１を介して外部メモリ部２１０に、例えばＦｉｌｅ０００１のファイル名でそのまま保存され、さらに、登録画像管理部２３１によりＲＡＭ２１２上の各種設定情報が共に外部メモリ部２１０に登録される。この各種設定情報は、適宜、不揮発性のＮＶＲＡＭ２３３に書き込まれるため、デジタル複合機の電源がオフとなった場合でも、各種設定情報は保存される。
【００７４】
また、本画像登録機能においては、前述のビットマップが圧縮された圧縮画像を登録する方式と共に、制御データ解釈部２２３、ＰＤＬデータ解釈部２２４によって解釈されていないデータや、ビットマップ画像展開部２２６によって展開されていない中間オブジェクト画像をそのまま外部メモリ２１０に登録することも可能である。
【００７５】
＜画像印刷機能＞
本デジタル複合機は、前述の画像生成機能、あるいは、前述のスキャン画像読み取り機能によりＲＡＭ２１２上に保持された圧縮画像を印刷する画像印刷機能を備えている。画像生成機能、スキャン画像読み取り機能によって得られた画像の印刷が指定されると、ＣＰＵ２０７は、プログラムＲＯＭ２２２に格納された画像データ印刷部２２８のプログラムに従い、ＲＡＭ２１２に記憶されている圧縮画像を、画像圧縮／解凍部２２７を用いてビットマップ画像に展開し、そのまま印刷することが可能である。ＣＰＵ２０７は、設定されている給紙口や、排紙口、印刷モード等の各種印刷設定をエンジンインタフェース部２１６を介してエンジン制御部２１５に設定すると共に、選択された画像を、ビットマップ画像転送部２１７を用いてエンジンインタフェース部２１６を介して、プリンタ装置２１４のエンジン制御部２１５に送る。これにより、選択された画像の印刷が行われて指定された排紙口より排紙される。
【００７６】
また、前述の画像登録機能によって、登録されていた画像を印刷することも可能である。その場合には、ＲＡＭ２１２上に格納されている画像データが制御データを含むデータであれば、制御データ解釈部２２３がデータの解釈を行い、画像データがＰＤＬデータであればＰＤＬデータ解釈部２２４がデータの解釈を行う。画像情報生成部２２５は、データを処理し、 中間オブジェクト画像を生成する。そして、ビットマップ画像展開部２２６は、ページ内の画像オブジェクトを実際印刷できるビットマップ画像に展開する。ビットマップ画像転送部２１７は、エンジンインタフェース部２１６を介してビットマップ画像をプリンタ装置２１４のエンジン制御部に送り、印刷が行われる。
【００７７】
また、中間オブジェクト画像であれば、ビットマップ画像展開部２２６は、ページ内の画像オブジェクトを実際印刷できるビットマップ画像にページ単位で展開し、ビットマップ画像転送部２１７は、エンジンインタフェース部２１６を介してプリンタ装置２１４のエンジン制御部２１５に送り、印刷が行われる。
【００７８】
＜プリント機能＞
本デジタル複合機では、前述の画像生成機能および、前述の画像印刷機能を連続して印刷する機能によりプリント機能を実現している。ユーザによるホストコンピュータ１４０１からのプリント指示は、このプリント機能により実現されることになる。プリント指示が行われると、ＣＰＵ２０７は、画像生成機能および画像印刷機能を実行し、ホストから送られた文書の画像が、画像生成機能により展開されて蓄えられると共に、画像印刷機能による印刷が実行され、プリンタ装置２１４によってホストコンピュータ１４０１で生成された文書が印刷されることになる。
【００７９】
＜コピー機能＞
本デジタル複合機では、前述のスキャン画像読み取り機能と前述の画像印刷機能を連続して印刷する機能によりコピー機能を実現している。ユーザがコピーしたい原稿をリーダ装置２１８にセットし、操作パネル部２０８でコピーキーを選択し、スタートキーを押す、あるいは、ホストコンピュータ１４０１から送られる制御データのコマンドにより、コピー指示がされると、ＣＰＵ２０７は、スキャン画像読み取り機能および画像印刷機能を実行する。スキャン画像読み取り機能によって原稿のスキャン画像がＲＡＭ２１２に蓄えられると共に、画像印刷機能によって印刷が実行され、プリンタ装置２１４から、読み取られた画像が印刷される。
【００８０】
＜画像送信機能＞
本デジタル複合機では、前述の画像登録機能により登録されている画像をコンピュータや他のデジタル複合機に送信する機能を有している。ユーザが送信したい原稿を操作パネル部２０８で選択して、液晶パネルに表示される原稿の送信指示をした場合や、ホストコンピュータ１４０１が選択した原稿の送信指示をすると、ＣＰＵ２０７は、プログラムＲＯＭ２２２に格納された画像データ送信部２２９のプログラムに従い、画像圧縮／解凍部２２７を用いて画像をビットマップ画像に変換して、ＲＡＭ２１２に保存する。その後、ＲＡＭ２１２に保存された画像を、ユーザが操作パネル部２０８上で指定しメールアドレスや、ホストコンピュータ１４０１により指定されたメールアドレスに対して、入出力バッファ２０６、入出力部２０５を介して、電子メールに画像を添付して送信する。
【００８１】
以上が、デジタル複合機の構成、機能である。
【００８２】
図１は、本発明の第１の実施形態を示すフローチャートである。
【００８３】
第１の実施形態は、マスタページとバリアブルページを合成して印刷を行うバリアブルプリントにおいて、マスタページとバリアブルページの境目近傍の色が近い場合、マスタページあるいはバリアブルページを互いに類似しない色に変更する実施形態である。ここでマスタページは、背景にあたる画像である。マスタページは、印刷する画像それぞれの背景として印刷される。また、バリアブルページは印刷のメインとなる画像である。実際の印刷においては、複数のマスタページと複数のバリアブルページが用意され、それぞれを自動的に組み合わせて印刷される。
【００８４】
ステップＳ１０１において、ユーザは、ホストコンピュータ１４０１上の表示部１４０８からマスタページとバリアブルページの合成モードを指定する。
【００８５】
ステップＳ１０２において、ユーザがホストコンピュータ１４０１上で所望のバリアブルプリント指示を出すと、ユーザが選択したマスタページとバリアブルページが、そのユーザが使用予定のプリンタ等の画像処理装置に送られる。バリアブルページとマスタページの合成モードとして画像処理装置に送られてきたバリアブルページとマスタページは、ページ単位で主に画像合成部２３７で処理される。
【００８６】
ステップＳ１０３において、画像合成部２３７は、送られてきたバリアブルページの中で、マスタページと重なり合うエッジ部分の色のサンプリングを行う。
【００８７】
このステップＳ１０３の詳細な動作を図４のフローチャートを用いて以下に説明する。
【００８８】
ステップＳ４０１において、当該バリアブルページの１つのオブジェクト（例えば、図形または文字など）の色をカラー画像処理装置の印刷色成分であるＹ、Ｍ、Ｃ、Ｂｋの各成分毎にサンプリングする。
【００８９】
ステップＳ４０２において、このようにしてＹ、Ｍ、Ｃ、Ｂｋの各成分毎にサンプリングした濃度データを順次ＲＡＭ２１２に格納する。
【００９０】
ステップＳ４０３において、１ページのバリアブルページ中の全オブジェクトについてサンプリングが終了したか否かを判断し、終了するまでステップＳ４０１とステップＳ４０２を繰り返し行う。
【００９１】
図１に戻り、ステップＳ１０４において、ステップＳ１０１でユーザが最初に指定したマスタページの色のサンプリングを行う。
【００９２】
このステップＳ１０４の詳細な動作を図５のフローチャートを用いて説明する。
【００９３】
ステップＳ５０１において、マスタページのページ内での画像状況により処理が異なるため、まずはマスタページが均一な色のベタ画像であるか否かを判断する。
【００９４】
ステップＳ５０１においてマスタページが均一な色のベタ画像と判断された場合には、ステップＳ５０２において、カラー画像処理装置の印刷色成分であるＹ、Ｍ、Ｃ、Ｂｋの各成分毎に画像の中心と４つの端点の濃度データをサンプリングする。
【００９５】
ステップＳ５０３において、Ｙ、Ｍ、Ｃ、Ｂｋの各成分毎にサンプリングした濃度データを平均化して、これらの平均化したデータを順次ＲＡＭに格納する。
【００９６】
ステップＳ５０１においてマスタページが均一な色のベタ画像と判断されない場合には、ステップＳ５０４において、当該マスタページの１つのオブジェクト（例えば図形または文字など）について、エッジ部分の色をカラー画像処理装置の印刷色成分であるＹ、Ｍ、Ｃ、Ｂｋの各成分毎にサンプリングする。
【００９７】
ステップＳ５０５において、Ｙ、Ｍ、Ｃ、Ｂｋの各成分毎にサンプリングした濃度データを順次ＲＡＭに格納する。
【００９８】
ステップＳ５０６において、１ページのマスタページ中の全エッジ部についてサンプリングが終了したか否かを判断し、終了するまでステップＳ５０４とステップＳ５０５を繰り返し行う。
【００９９】
図１に戻り、ステップＳ１０５において、ステップＳ１０３とステップＳ１０４でサンプリングされた、バリアブルページのオブジェクトとマスタページの重なる近傍の濃度データをＹ，Ｍ，Ｃ，Ｂｋの各成分毎に比較する。なお、比較はマスタページとバリアブルページのオブジェクトの近傍の色を比較してもよいし、マスタページとバリアブルページのオブジェクトのエッジ近傍の色を比較してもよい。
【０１００】
このステップＳ１０５の詳細な動作を図６のフローチャートを用いて説明する。
【０１０１】
ステップＳ６０１において、マスタページのページ内での画像状況により処理が異なるため、マスタページが均一な色のベタの画像であるか否かを判断する。
【０１０２】
ステップＳ６０１においてマスタページが均一な色のベタ画像と判断された場合には、ステップＳ６０２において、前述のステップＳ５０２で画像の中心と４つの端点の濃度データをサンプリングして、Ｓ５０３で平均化して、Ｓ５０７でカラー画像処理装置の印刷色成分であるＹ，Ｍ，Ｃ，Ｂｋの各成分毎に格納された平均化された濃度データをＭＳＴ−Ｙ，Ｍ，Ｃ，ＢｋとしてＲＡＭ２１２から読み出す。
【０１０３】
ステップＳ６０１においてマスタページが均一な色のベタ画像と判断されない場合には、ステップＳ６０３において、前述のステップＳ５０４で当該マスタページの１つのオブジェクト（例えば図形または文字など）について、エッジ部分の色をカラー画像処理装置の印刷色成分であるＹ，Ｍ，Ｃ，Ｂｋの各成分毎にサンプリングして、ステップＳ５０５でＹ，Ｍ，Ｃ，Ｂｋの各成分毎に格納された濃度データをＭＳＴ−Ｙ，Ｍ，Ｃ，ＢｋとしてＲＡＭ２１２から読み出す。
【０１０４】
ステップＳ６０４において、前述のステップＳ４０１で当該バリアブルページの１つのオブジェクト（例えば、図形または文字など）について、エッジ部分の色をカラー画像処理装置の印刷色成分であるＹ，Ｍ，Ｃ，Ｂｋの各成分毎にサンプリングして、ステップＳ４０２でＹ，Ｍ，Ｃ，Ｂｋの各成分毎に格納された濃度データをＶＢＬ−Ｍ，Ｃ，Ｙ，ＢｋとしてＲＡＭ２１２から読み出す。
【０１０５】
ステップＳ６０５において、ステップＳ６０２またはステップＳ６０３でＲＡＭ２１２から読み出されたＭＳＴ−Ｍ，Ｃ，Ｙ，Ｂｋのマスタの濃度データと、ステップＳ６０４でＲＡＭ２１２から読み出されたＶＢＬ−Ｍ，Ｃ，Ｙ，Ｂｋのバリアブルの濃度データを各色成分毎に比較する。
【０１０６】
ステップＳ６０６において、各色の濃度差の少なくとも一つが１６以内か否かを判定する。
【０１０７】
ステップＳ６０６において少なくとも一つが１６以内であると判定された場合には、ステップＳ６０７において、マスタページ変更ｂｉｔをＯＮにする。
【０１０８】
ステップＳ６０８において、１つ１つのバリアブルページに関してステップＳ６０４からステップＳ６０７までを全てのバリアブルページに関して、ある１つのマスタページとの比較が終了したか否かを判断し、終了するまでステップＳ６０４からステップＳ６０７までを繰り返し行う。そして、終了した場合には、ステップＳ６０９に進む。
【０１０９】
ステップＳ６０９において、１つ１つのバリアブルページに関してステップＳ６０４からステップＳ６０７までを全てのバリアブルページに関して、全てのマスタページとの比較が終了したか否を判断し、終了するまでステップＳ６０１からステップＳ６０８までを繰り返し行う。
【０１１０】
図１に戻り、ステップＳ１０６において、Ｙ，Ｍ，Ｃ，Ｂｋ各成分の濃度比較の結果から、マスタページとバリアブルページの重なり部分の濃度が近いかどうかを判断する。
【０１１１】
ステップＳ１０６において濃度が近いすなわちマスタページとバリアブルページの重なり部分の濃度差が所定の閾値よりも小さいと判断された場合には、ステップＳ１０７において、ホストコンピュータ１４０１の表示部１４０８に図２０に示される警告表示を行なうことでユーザに対して警告を行い、当該バリアブルページに対して推奨すべきマスタページの候補を複数ピックアップする。
【０１１２】
このステップＳ１０６、Ｓ１０７の詳細な動作を図７のフローチャートを用いて説明する。
【０１１３】
ステップＳ７０１において、ステップＳ６０７でマスタページ変更ｂｉｔがＯＮになっているか否かを判断する。
【０１１４】
ＯＮの場合には、ステップＳ７０２において、マスタページが均一な色のベタの画像であるか否かを判断する。
【０１１５】
ステップＳ７０２においてマスタページが均一な色のベタ画像と判断された場合には、ステップＳ７０３において、例えば、マスタページのＹ，Ｍ，Ｃ，Ｂｋの各色濃度が全て３２以下の薄いものを複数ピックアップする。
【０１１６】
ステップＳ７０２においてマスタページが均一な色のベタ画像と判断されない場合には、  ステップＳ７０４において、バリアブルページの色とは対照的な色のもの（例えば、バリアブルページが暖色系のものならば変更すべきマスタページとしては寒色系のもの）をピックアップする。
【０１１７】
ステップＳ７０５において、ステップＳ７０３かステップＳ７０４でピックアップしたマスタページの各色成分の情報をＭＳＴ（ｎ）−Ｙ，Ｍ，Ｃ，Ｂｋ（ｎは自然数）に格納する。
【０１１８】
ステップＳ７０６において、全てのマスタページに関して検索したかどうかを判断する。
【０１１９】
図１に戻り、ステップＳ１０８において、ピックアップされたマスタページ候補に基づいて、ユーザに推奨すべき複数のマスタページの候補を提示する。
【０１２０】
このステップＳ１０８の詳細な動作を図８のフローチャートを用いて説明する。
【０１２１】
ステップＳ８０１において、マスタページの候補が必要か否かを判断する。
【０１２２】
必要な場合には、ステップＳ８０２において、ＭＳＴ（ｎ）−Ｙ，Ｍ，Ｃ，Ｂｋ（ｎは自然数）に格納された複数のマスタページ候補の情報を読み出す。
【０１２３】
ステップＳ８０３において、この読み出された情報に基づいて、ホストコンピュータ１４０１の表示部１４０８にその複数のマスタページ候補の画像情報（色や模様など）を表示する。
【０１２４】
ステップＳ８０４において、このホストコンピュータ１４０１の表示部１４０８に表示された複数のマスタページ候補からユーザが１つを選択することで、マスタページを最適なものに変更可能となる。
【０１２５】
次に、図９を用いて、マスタページの変更が必要な場合の画像例とその変更方法の例を説明する。マスタページの変更が必要な場合とは、最初に選択されていたマスタページ（Ａ）がバリアブルページのマークの部分と色が近似しており、このままではバリアブルページが埋没してしまうおそれがある場合である。そして、変更方法とは、マスタページ（Ａ）とバリアブルページとの比較を行い、マスタページ（Ａ）がバリアブルページのマークの部分と色が近似する場合には、マスタページの推奨候補として、バリアブルページと色が近似しないマスタページ（Ｂ）、（Ｃ）をピックアップしてホストコンピュータ１４０１の画面上に表示して、この中からどちらかをユーザに選択させることによりマスタページを変更させることである。
【０１２６】
以上のようにして、ユーザがバリアブルプリントを行う際に、マスタページとバリアブルページの色が近い場合には、これを検知してユーザに対して警告し、推奨マスタページを当該ユーザに提示し、これをユーザに選択させることでマスタページとバリアブルページの境目近傍の色の類似を排除することができる。
【０１２７】
上述の第１の実施形態においてはマスタページを変更したが、バリアブルページを変更してもよい。すなわち、ユーザがバリアブルプリントを行う際に、マスタページとバリアブルページの色が近い場合には、これを検知してユーザに対して警告し、一般的な画像処理技術を用いてバリアブルページに対して主走査または副走査方向に移動、任意の角度に回転、鏡像化、拡大縮小のいずれか又はそれらの組み合わせの処理等のレイアウト変更を行うことでマスタページとバリアブルページの境目近傍の色の類似を排除することもできる。図１０は、バリアブルページを副走査方向へ移動することにより、マスタページとバリアブルページの境目近傍の色の類似を排除する例である。図１１は、バリアブルページを９０度回転することにより、マスタページとバリアブルページの境目近傍の色の類似を排除する例である。図１２は、バリアブルページ鏡像化することにより、マスタページとバリアブルページの境目近傍の色の類似を排除する例である。図１３は、バリアブルページを縮小することにより、マスタページとバリアブルページの境目近傍の色の類似を排除する例である。
【０１２８】
（第２の実施形態）
次に、本発明の第２の実施形態を図面を用いて説明する。
【０１２９】
図１４において、１４０１は、ホストコンピュータであり、１４１５は、デジタル複合機等の画像処理装置である。
【０１３０】
ホストコンピュータ１４０１は、ＲＯＭ１４０３等に格納されているプログラムに従ってＣＰＵバス２ａを介して、画像処理装置と間の制御を行うＣＰＵ１４０２と、ＣＰＵ１４０２のワークエリアとして使用され、その内部にワーク領域４ａを有するＲＡＭ１４０４と、他のホストコンピュータやプリンタ等との間で双方向通信処理を行う通信制御部１４０５と、操作部（キーボード等の入力装置）１４０６と、ハードディスク等の外部記憶装置１４０７と、表示部１４０８(例えばＣＲＴ表示装置など)と、ホストコンピュータ１４０１と画像処理装置１４１５１５を接続する外部通信ポート１４０９とを備える。
【０１３１】
画像処理装置１４１５は、本体操作用の液晶パネル１４１０と、ネットワークに画像処理装置１５を接続するためのネットワークボード１４１１と、画像処理部１４１２と、印刷部１４１３と、ハードディスク等の外部記憶装置１４１４とを備える。画像処理部１４１２は、バリアブルプリント時にバリアブルページとマスタページとの境目が不明瞭になるか否か（バリアブルページがマスタページの中に視覚的に埋没し、又は、マスタページがバリアブルページの中に視覚的に埋没する可能性の有無）を判断するプログラムと、境目が不明瞭になるおそれがある場合に実施する警告処理の内容を示す警告処理一覧表とを格納し、画像処理全般を制御する。
【０１３２】
図１５は，バリアブルプリント時に、バリアブルページとマスタページとの境目が不明瞭になる場合に実施する警告処理を記した警告処理一覧表の一例である。警告処理一覧表の項目は、「登録Ｎｏ．」、「埋没条件（色差）」、「警告先」、「警告に伴う動作」、「メモ」である。「埋没条件（色差）」とは、バリアブルとマスタとの境目が不明瞭になる条件のことである。この警告処理一覧表はホストコンピュータ１４０１と、画像処理装置１４１５内の画像処理部１４１２の両方に格納されており、その内容は両者で整合がとられている。この警告処理一覧表は、バリアブルページとマスタページとの境目が不明瞭になる「埋没条件（色差）」を基準として、例えば５段階の警告レベルが設定されている。その理由は、マスタページとバリアブルページとの色差の値に応じてマスタページとバリアブルページとの境目が不明瞭になる可能性は上下するため、警告レベルを複数段階に分けることにより「警告先」や「警告に伴う動作」に差異を持たせることができるからである。またこの警告処理一覧表の内容は、ユーザが任意に設定することが可能である。次に、この警告処理一覧表の各項目の内容を以下に示す。
【０１３３】
「登録No.」は、登録時の目安として使用する項目であるが、第２の実施形態では、警告レベルの高さも示している。第２の実施形態ではマスタページとバリアブルページの境目が不明瞭になる条件が規定値（ユーザが予め設定している値）以下である場合に警告処理が実施される。第２の実施形態ではその条件として色差（デルタＥ）を用い、色差（デルタＥ）が規定値以下の場合に、「登録Ｎｏ．」の昇順に１からその条件を確認する。またその他には、印刷時に「登録Ｎｏ．」を指定して、どの埋没条件を使用するかを指定することが可能である。
【０１３４】
「埋没条件（色差）」（マスタページとバリアブルページとの境目が不明瞭になる条件）は、バリアブルプリント時にバリアブルページとマスタページとの境目が不明瞭と判断する基準を数値で示したものである。当該項目の数値は、警告を出す基準として使用される。本例では当該条件を色差（デルタＥ）として定めている。第２の実施形態では、バリアブルページとマスタページの色差が規定値以下であった場合、警告処理一覧表の「埋没条件（色差）」を照会する。照会は、「登録Ｎｏ．」の昇順に色差を比較して、当該色差が「埋没条件（色差）」に設定されている色差より小さい場合に、その「登録Ｎｏ．」の警告処理が選択される。
【０１３５】
「警告先」は、警告先のユーザを示す項目である。上記警告処理が選択された「登録Ｎｏ．」に対応するユーザに対して警告が送信される。その場合、「警告先」の項目に複数のユーザが登録されていれば、それらの複数ユーザに対して警告処理を送信する。また、画像処理装置１４１５に装備されている液晶パネル１４１０等の表示パネルを使って「警告先」の登録を行うことができる。「警告先」のユーザは、例えば、文字列“Ｄ”と、任意の文字列と、送信先インタフェースとの組み合わせで登録される。文字列“Ｄ”は、印刷データの送信元を示す。本例では、“Ｕｓｒ  Ｘ”（Ｘは、１、２、４又は５）は、ユーザが使用するホストコンピュータ名を示す。警告処理一覧表の「警告先」の項目には、任意の文字列が登録され、警告時には、組になっているインタフェースアドレスへ送信される。「警告先」が例えばネットワーク上のコンピュータ等である場合には、ネットワークアドレス（ＩＰアドレス等）が任意の文字列に割り当てられる。また、「警告先」が複数ある場合には各警告先を“／”で区切る。例えば、「警告先」が「Ｄ／Ｕｓｒ１  」である場合には、印刷データの送信元と、“Ｕｓｒ１“として登録されているホストコンピュータに警告が送信される。本例では、「警告先」への登録数が最大で４件となっているが、４件より多くてもよい。
【０１３６】
「警告に伴う動作」は、警告処理が起動した場合に、警告送信以外に行う動作又は制御を示す。ここに登録された内容によって、画像処理装置の動作停止又は指示待ち状態への移行等の制御を行うことが可能である。本例では、動作例として４例あげられているが、様々な動作を予め設定しておくことで、より複雑な動作又は制御を行わせることができる。
【０１３７】
「メモ」は、「警告に伴う動作」以外の特殊な警告動作の内容であるか  又は、登録者によるメモ書きの内容である。
【０１３８】
図１６は、本発明の第２の実施形態における処理の流れの概略の一例を示すフローチャートである。
【０１３９】
ステップＳ１６０１において、画像処理装置１４１５はバリアブルプリントデータを受信する。
【０１４０】
ステップＳ１６０２において、バリアブルプリント時に、バリアブルページとマスタページの境目の色差を求め、バリアブルページとマスタページの視認の容易性を確認する。すなわち、本ステップでは色差の数値を算出し、その値に基づいてバリアブルがマスタの境目が不明瞭になるおそれがあるか否かを確認する。
【０１４１】
ステップＳ１６０３において、ステップＳ１６０２において算出された色差の値と、規定値（ユーザが予め設定している色差の値）とを比較する。バリアブルページとマスタページの境目において、ステップＳ１６０２で算出された色差の数値が規定値以上の場合には、バリアブルページとマスタページの境目の区別は容易であると考えられる。
【０１４２】
ステップＳ１６０３でバリアブルページとマスタページの境目の区別が容易でないと判断された場合は、ステップＳ１６０４において印刷データの送信元又は予めユーザが設定した警告先へ警告を送信する警告処理を実施する。また、予め設定されていた場合は、警告送信と共に印刷処理の停止又はユーザからの指示によるデータ差し替え又はデータ破棄等の処理を行う。
【０１４３】
ステップＳ１６０４で警告処理が行われた後に、ステップＳ１６０５において、ユーザの指示又は自動処理によりマスタページとバリアブルページとの境目を明瞭にする処理が行われる。
【０１４４】
次に、図１６に示すステップＳ１６０４の警告処理の動作等の一例を、図１７に示すフローチャートを用いて説明する。本例は、前述の警告処理一覧表を使用しない例である。
【０１４５】
バリアアブルプリントの際に、マスタページとバリアブルページの境目の色差の数値が、規定値（ユーザが予め定めた数値）以下である場合、以下の動作を行う。
【０１４６】
ステップＳ１７０２において、印刷データの送信元又は予めユーザが設定した警告先に警告を送信する。
【０１４７】
ステップＳ１７０３において、警告送信の後に画像処理装置を一時停止状態にしてユーザからの指示を待つという設定がされているかどうかを判断する。
【０１４８】
ステップＳ１７０３においてユーザからの指示は待たないという設定がされていると判断された場合、ステップＳ１７０４に進み、警告の対象となったページデータを破棄する。
【０１４９】
ステップＳ１７０３においてユーザからの指示を待つという設定がされていると判断された場合、ステップＳ１７０５において、ユーザからの指示を受信する。
【０１５０】
ステップＳ１７０６において、ステップＳ１７０５で受信したユーザの指示が印刷データの差し替え指示かどうかを判断し、印刷データの差し替え指示でない場合は、ステップＳ１７０４に進み、警告の対象となったページデータを破棄する。
【０１５１】
ステップＳ１７０６においてユーザの指示が印刷データの差し替え指示である場合は、ステップＳ１７０７において、差し替えデータがマスタページかバリアブルページかどうかを判断し、差し替えデータがマスタページである場合にはステップＳ１７０８に進み、差し替えデータがバリアブルページである場合にはステップＳ１７０９に進む。
【０１５２】
ステップＳ１７０８において、送信元等が希望するデータにマスタページを差し替える。
【０１５３】
ステップＳ１７０９において、送信元等が希望するデータにバリアブルページを差し替える。
【０１５４】
ステップＳ１７１０において、印刷データに、差し替えたマスタページ又はバリアブルページを付与する。この場合、差し替えたマスタページ又はバリアブルページを付与する位置は、印刷データ全体において、ユーザの設定により自由に設定することができる。
【０１５５】
次に、図１６に示すステップＳ１６０４の警告処理の動作等の別の例を、図１８に示すフローチャートを用いて説明する。本例は、前述の警告処理一覧表を使用する例である。
【０１５６】
ステップＳ１８０１において、バリアブルプリント時にマスタページとバリアブルページの境目の色差を算出する。
【０１５７】
ステップＳ１８０２において、ステップＳ１８０１で算出された色差の数値が規定値（ユーザが予め定めた色差の数値）以下かどうかの判断をし、ステップＳ１８０１で算出された色差の数値が規定値以下の場合にはステップＳ１８０３に進む。
【０１５８】
ステップＳ１８０３において、ステップＳ１８０１で算出された色差からどのレベルの警告処理を行うかを判断するために、図１５に示す警告処理一覧表を参照する。
【０１５９】
ステップＳ１８０４において、ステップＳ１８０３で警告処理一覧表を参照した結果、警告対象であるバリアブルページとマスタページの組み合わせに対してどのレベル（「登録Ｎｏ．」）の警告処理を実行すべきかを選択する。
【０１６０】
ステップＳ１８０５において、ステップＳ１８０４で選択された「登録Ｎｏ．」に登録されている「警告先」へ警告を送信する。
【０１６１】
ステップＳ１８０６において、「警告に伴う動作」の項目に、印刷動作の継続又は停止が指示されているかどうかを判断し、印刷動作の継続が指示されている場合には、ステップＳ１８０９に進み、印刷動作の停止が指示されている場合には、ステップＳ１８０７に進む。
【０１６２】
ステップＳ１８０７において、画像処理装置の印刷処理を停止し、印刷データの送信元からデータの差し替え等の指示を待つ指示待ち状態となる。
【０１６３】
ステップＳ１８０８において、印刷データの送信元からデータの差し替え等の指示が送られてきたかどうかを任意の時間の間隔で判断し、指示が送られてきた場合には、ステップＳ１８０９に進む。
【０１６４】
ステップＳ１８０９において、「メモ」に「警告に伴う動作」に設定されている指示以外の指示が設定されているかどうかを判断し、当該指示が設定されている場合にはステップＳ１８１０に進む。当該指示が設定されていない場合には終了する。
【０１６５】
ステップＳ１８１０において、「メモ」に設定されている指示を実行する。例えば、「登録Ｎｏ．」が１の警告処理の場合は、ユーザから指示待ち状態にある画像処理装置は、本体表示パネルからの指示も受け付ける状態に移行する。
【０１６６】
次に、図１６に示すステップＳ１６０４の警告処理の動作等のさらに別の例を、図１９に示すフローチャートを用いて説明する。本例は、前述の警告処理一覧表を使用し、印刷データのマスタページとバリアブルページの色差を、警告処理一覧表の「埋没条件（色差）」に記載されている色差と比較して、警告を送信するか否かを決定する例である。
【０１６７】
ステップＳ１９０１において、マスタページとバリアブルページの境目の色差を算出する。
【０１６８】
ステップＳ１９０２において、警告処理一覧表の「登録Ｎｏ．」が１の「埋没条件（色差）」の数値をＸとし、算出したマスタページとバリアブルページの色差の数値をＹと設定する。
【０１６９】
ステップＳ１９０３において、Ｘ−Ｙの計算を行い、その結果が０以上になるかどうかを判断し、０以上の場合には、ステップＳ１９０５に進み、そうでない場合には、ステップＳ１９０４に進む。０以上の場合とは、印刷データのマスタページとバリアブルページの色差の数値が「登録Ｎｏ．」が１の色差の数値以下の場合であり、この場合、マスタページとバリアブルページの境名が不明瞭になる可能性があるため、警告処理を要する。
【０１７０】
一方、そうでない場合とは、印刷データのマスタページとバリアブルページの色差の数値が「登録Ｎｏ．」が１の色差の数値より大きい場合であり、この場合、マスタページとバリアブルページの境名は明瞭であると考えられる。
【０１７１】
ステップＳ１９０４において、参照する警告処理一覧表の「登録Ｎｏ．」に１をプラスし、ステップＳ１９０２で、印刷データのマスタページとバリアブルページの色差の数値と、１がプラスされた「登録Ｎｏ．」に対応する「埋没条件（色差）」を比較する。
【０１７２】
ステップＳ１９０５において、警告処理を行うことが確定し、その警告処理のレベルが決定される。
【０１７３】
ステップＳ１９０６において、「警告先」に“パネル”が設定されているかどうかを判断し、設定されている場合にはステップＳ１９０７に進み、設定されていない場合には、ステップＳ１９０８に進む。
【０１７４】
ステップＳ１９０７において、画像処理装置本体の操作パネルへ警告表示を行う。
【０１７５】
ステップＳ１９０８において、「警告先」に“Ｕｓｒ”が設定されているかどうかを判断し、設定されている場合にはステップＳ１９０９に進み、設定されていない場合にはステップＳ１９１０に進む。
【０１７６】
ステップＳ１９０９において、“Ｕｓｒ”として登録されているホストコンピュータに警告ダイアログ表示を送信する。
【０１７７】
ステップにＳ１９１０において、“Ｕｓｒ”と組になっているインタフェースへダイアログ表示を送信する。ここでインタフェース種類がネットワーク等のアドレスを持つ場合には、そのアドレスのホストコンピュータにて警告ダイアログを送信する。
【０１７８】
ステップＳ１９１１において、当該ホストコンピュータは、警告ダイアログをディスプレイに表示する。
【０１７９】
第２の実施形態では、警告処理一覧表は色差の順に並んでいたが、印刷データの送信元別に警告処理一覧表を作ることも可能である。そうすることで、複数のユーザがバリアブルプリントを行う場合、それぞれの印刷データの送信元が希望するバリアブルプリントでの視認性の基準又は警告処理を作成することが可能である。またその場合は、図１８に示されているステップＳ１８０２で判断するのではなく、警告処理一覧表で警告処理を管理することが可能である。
【０１８０】
第２の実施形態では、バリアブルページとマスタページの色差から、警告処理一覧表の中の適用すべき警告処理を決定していたが、データ送信時点で警告処理一覧表の「登録Ｎｏ．」を指定することも可能である。そうすることで、ユーザがバリアブルプリント毎に任意のバリアブルプリントの視認性基準を設定することが出来る。これにより、ユーザの警告処理適用基準への自由度を向上させることが可能である。
【０１８１】
本発明では、マスタページとバリアブルページの境目の色差で、視認性の良し悪しを判断しているが、それ以外の方法で視認性を判断することも可能である。例えば、予めマスタページとバリアブルページとに数字のタグを付けておき、その数字を比較することにより視認性の良し悪しを判断することも可能である。具体的には、マスタページとバリアブルページに、それらの絵柄の中で最も多く使用されている色の色相に応じてタグを各々付けておく。そしてタグの数字が同じ又は近似する場合に、マスタページとバリアブルページの境界が不明瞭になると判断し、それをユーザに警告することも可能である。
【０１８２】
前述した各種実施形態の機能を実現するソフトウエアのプログラムコードを記録した記憶媒体を、システムあるいは装置に供給し、そのシステムあるいは装置のコンピュータ（またはＣＰＵやＭＰＵ）が記憶媒体に格納されたプログラムコードを読み出し実行することによっても、本発明の目的が達成されることは言うまでもない。この場合、記憶媒体から読み出されたプログラムコード自体が本発明の新規な機能を実現することになり、そのプログラムコードを記憶した記憶媒体は本発明を構成することになる。プログラムコードを供給するための記憶媒体としては、例えば、フレキシブルディスク、ハードディスク、光ディスク、光磁気ディスク、ＣＤ−ＲＯＭ，ＣＤ−Ｒ、磁気テープ、不揮発性のメモリカード、ＲＯＭなどを用いることができる。
【０１８３】
また、コンピュータが読み出したプログラムコードを実行することによって、前述した実施形態の機能が実現される他、そのプログラムコードの指示に基づき、コンピュータ上で稼動しているＯＳなどが実際の処理の一部または全部を行ない、その処理によっても前述した実施形態の機能が実現され得る。
【０１８４】
さらに、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵなどが実際の処理の一部または全部を行ない、その処理によっても前述した実施形態の機能が実現され得る。
【０１８５】
なお、本発明は、前述した実施形態の機能を実現するソフトウエアのプログラムコードを記録した記憶媒体から、そのプログラムを、インターネット又はイントラネット等の通信ネットワークを介して要求者にそのプログラムを配信する場合にも適用できる。
【図面の簡単な説明】
【０１８６】
【図１】本発明の第１の実施形態のフローチャートを示す図である。
【図２】ホストコンピュータとデジタル複合機のシステム構成を示すブロック図である。
【図３】デジタル複合機の内部構成を示す図である。
【図４】本発明の第１の実施形態において、バリアブルページの中でマスタページと重なりあうエッジ部分の色のサンプリング方法を表すフローチャートを示す図である。
【図５】本発明の第１の実施形態において、最初にユーザが指定したマスタページの色のサンプリング方法を表すフローチャートを示す図である。
【図６】本発明の第１の実施形態において、バリアブルページとマスタページの両者のサンプリングデータの濃度による比較方法を表すフローチャートを示す図である。
【図７】本発明の第１の実施形態において、バリアブルページに対して推奨すべきマスタページの候補を複数ピックアップする方法を表すフローチャートを示す図である。
【図８】本発明の第１の実施形態において、推奨すべき複数のマスタページ候補をユーザに提示する方法を表すフローチャートを示す図である。
【図９】本発明の第１の実施形態において、マスタページを変更する例を示す図である。
【図１０】本発明の第１の実施形態において、バリアブルページを副走査方向へ移動する例を示す図である。
【図１１】本発明の第１の実施形態において、バリアブルページを９０度回転する例を示す図である。
【図１２】本発明の第１の実施形態において、バリアブルページを鏡像化する例を示す図である。
【図１３】本発明の第１の実施形態において、バリアブルページを縮小化する例を示す図である。
【図１４】本発明の第２の実施形態において、ホストコンピュータと画像処理装置のブロック図である。
【図１５】本発明の第２の実施形態において、警告処理一覧表の一例を示す図である。
【図１６】本発明の第２の実施形態のフローチャートを示す図である。
【図１７】本発明の第２の実施形態において、警告処理の一例を表すフローチャートを示す図である。
【図１８】本発明の第２の実施形態において、警告処理の一例を表すフローチャートを示す図である。
【図１９】本発明の第２の実施形態において、警告処理の一例を表すフローチャートを示す図である。
【図２０】本発明の第１の実施形態において、マスタページとバリアブルページの重なり部分の濃度差が所定の閾値よりも小さいと判断された場合にユーザに発する警告を表示する表示部の表示例を示す図である。
【符号の説明】
【０１８７】
２０１  ネットワーク
２０２  デジタル複合機（画像処理装置）
２０３  通信線
２０４  制御ユニット
２０５  入出力部
２０６  入出力バッファ
２０７  ＣＰＵ
２０８  操作パネル部
２０９  パネルインタフェース部
２１０  外部メモリ部
２１１  メモリインタフェース部
２１２  ＲＡＭ
２１３  システムバス
２１４  プリンタ装置
２１５  エンジン制御部
２１６  エンジンインタフェース部
２１７  ビットマップ画像転送部
２１８  リーダ装置
２１９  スキャナ制御部
２２０  スキャナインタフェース部
２２１  ビットマップ画像受信部
２２２  プログラムＲＯＭ
２２３  制御データ解釈部
２２４  ＰＤＬデータ解釈部
２２５  画像情報生成部
２２６  ビットマップ画像展開部
２２７  画像圧縮／解凍部
２２８  画像データ印刷部
２２９  画像データ送信部
２３０  画像データ読み取り部
２３１  登録画像管理部
２３２  ユーザ管理部
２３３  ＮＶＲＡＭ
２３４  ユーザ情報管理テーブル
２３５  制御コマンド管理テーブル
２３６  ユーザ認証部
２３７  画像合成部
３０１  筐体
３０３  制御ボード収納部
３０４  転写材
３０５  給送カセット
３０６  給送ローラ(半月ローラ)
３０７  レジストローラ対
３０８  静電搬送ベルト
３０９  吸着ローラ
３１０  感光体ドラム（３１０Ｋ、３１０Ｍ、３１０Ｃ、３１０Ｙ）
３１１  帯電装置（３１１Ｋ、３１１Ｍ、３１１Ｃ、３１１Ｙ）
３１２  印刷スキャナ部（３１２Ｋ、３１２Ｍ、３１２Ｃ、３１２Ｙ）
３１３  現像装置（３１３Ｋ、３１３Ｍ、３１３Ｃ、３１３Ｙ）
３１３ｋ１、３１３ｍ１、３１３ｃ１、３１３ｙ１  塗布ローラ
３１３ｋ２、３１３ｍ２、３１３ｃ２、３１３ｙ２  現像ローラ
３１４  静電搬送転写装置
３１５  クリーニング装置（３１５Ｋ、３１５Ｍ、３１５Ｃ、３１５Ｙ）
３１６  プロセスカートリッジ（３１６Ｋ、３１６Ｍ、３１６Ｃ、３１６Ｙ）
３１７  結像レンズ（３１７Ｋ、３１７Ｍ、３１７Ｃ、３１７Ｙ）
３１８  ポリゴンミラー（３１８Ｋ、３１８Ｍ、３１８Ｃ、３１８Ｙ）
３１８ａ、３１８ｂ  従動ローラ
３１９  転写ローラ（３１９ｋ、３１０ｍ、３１０ｃ、３１０ｙ）
３２０  駆動ローラ
３２１  テンションローラ
３２２  給送部
３２３  定着部
３２４  加熱ローラ
３２５  加圧ローラ
３２６  排出ローラ対
３２７  スキャナユニット
３２８  原稿給紙ユニット
３２９  原稿
３３０  プラテンガラス
３３１  排出トレイ
３３３  ランプ
３３４  光学ユニット
３３５、３３６、３３７  ミラー
３３８  レンズ
３３９  ＣＣＤイメージセンサ
１４０１  ホストコンピュータ
１４０２  ＣＰＵ
１４０３  ＲＯＭ
１４０４  ＲＡＭ
１４０５  通信制御部
１４０６  操作部
１４０７  外部記憶装置
１４０８  表示部
１４０９  外部通信ポート
１４１０  液晶パネル
１４１１  ネットワークボード
１４１２  画像処理部
１４１３  印刷部
１４１５  画像処理装置
【図１】
2006345313.tif 000003
【図２】
2006345313.tif 000004
【図３】
2006345313.tif 000005
【図４】
2006345313.tif 000006
【図５】
2006345313.tif 000007
【図６】
2006345313.tif 000008
【図７】
2006345313.tif 000009
【図８】
2006345313.tif 000010
【図９】
2006345313.tif 000011
【図１０】
2006345313.tif 000012
【図１１】
2006345313.tif 000013
【図１２】
2006345313.tif 000014
【図１３】
2006345313.tif 000015
【図１４】
2006345313.tif 000016
【図１５】
2006345313.tif 000017
【図１６】
2006345313.tif 000018
【図１７】
2006345313.tif 000019
【図１８】
2006345313.tif 000020
【図１９】
2006345313.tif 000021
【図２０】
2006345313.tif 000022
【手続補正書】
【提出日】平成18年6月13日(2006.6.13)
【手続補正１】
【補正対象書類名】特許請求の範囲
【補正対象項目名】全文
【補正方法】変更
【補正の内容】
【特許請求の範囲】
【請求項１】
マスタページとバリアブルページとを組み合わせて印刷するバリアブルプリントを行う画像処理装置において、
前記マスタページと前記バリアブルページの境目近傍の色を比較する比較手段と、
前記マスタページと前記バリアブルページの境目近傍の色が類似する場合には、前記マスタページを、前記バリアブルページの色と類似しない色のマスタページに変更する変更手段と
前記変更されたマスタページと前記バリアブルページを組み合わせて印刷する印刷手段と
を備えることを特徴とする画像処理装置。
【請求項２】
前記変更手段は、前記バリアブルページの色と類似しない色のマスタページを提示し、前記マスタページの中から選択されたマスタページに変更することを特徴とする請求項１に記載の画像処理装置。
【請求項３】
前記比較手段は、前記マスタページと前記バリアブルページ境目近傍の色のＹ、Ｍ、Ｃ、Ｂｋ各成分の濃度を比較することを特徴とする請求項１に記載の画像処理装置。
【請求項４】
前記比較手段は、前記マスタページと複数の前記バリアブルページの境目近傍の色を比較し、前記変更手段は、複数の前記バリアブルページそれぞれの色と類似しない色のマスタページに変更することを特徴とする請求項１に記載の画像処理装置。
【請求項５】
前記マスタページと前記バリアブルページの境目近傍の色が類似する場合には、ユーザに対して警告を送信する警告手段を更に備えることを特徴とする請求項１から４のいずれか１に記載の画像処理装置。
【請求項６】
マスタページとバリアブルページとを組み合わせて印刷するバリアブルプリントを行う画像処理装置において、
前記マスタページと前記バリアブルページの境目近傍の色を比較する比較手段と、
前記マスタページと前記バリアブルページの境目近傍の色が類似する場合には、前記バリアブルページを、前記マスタページの色と類似しない色のバリアブルページに変更する変更手段と
前記マスタページと前記変更されたバリアブルページを組み合わせて印刷する印刷手段と
を備えることを特徴とする画像処理装置。
【請求項７】
前記変更手段は、前記バリアブルページに対して主走査または副走査方向に移動、任意の角度に回転、鏡像化、拡大縮小のいずれかの処理又はそれらの組み合わせの処理を行うことにより前記バリアブルページを変更することを特徴とする請求項６に記載の画像処理装置。
【請求項８】
マスタページとバリアブルページとを組み合わせて印刷するバリアブルプリントを行う画像処理装置において、
前記マスタページと前記バリアブルページの境目近傍の色を比較する比較手段と、
前記マスタページと前記バリアブルページの境目近傍の色が類似する場合には、ユーザからの指示にしたがって、前記マスタページを変更する変更手段と
前記変更されたマスタページと前記バリアブルページを組み合わせて印刷する印刷手段と
を備えることを特徴とする画像処理装置。
【請求項９】
マスタページとバリアブルページとを組み合わせて印刷するバリアブルプリントを行う画像処理装置において、
前記マスタページと前記バリアブルページの境目近傍の色を比較する比較手段と、
前記マスタページと前記バリアブルページの境目近傍の色が類似する場合には、ユーザからの指示にしたがって、前記バリアブルページを変更する変更手段と
前記マスタページと前記変更されたバリアブルページを組み合わせて印刷する印刷手段と
を備えることを特徴とする画像処理装置。
【請求項１０】
前記マスタページと前記バリアブルページの境目近傍の色が類似する場合には、ユーザに対して警告を送信する警告手段を更に備えることを特徴とする請求項８又は９に記載の画像処理装置。
【請求項１１】
前記警告手段は、複数の警告先に警告を送信することを特徴とする請求項１０に記載の画像処理装置。
【請求項１２】
前記警告手段は、前記類似の程度に応じて警告先又は警告に伴う動作を選択することを特徴とする請求項１０に記載の画像処理装置。
【請求項１３】
前記警告に伴う動作は、印刷停止、印刷続行又は印刷データの破棄であることを特徴とする請求項１２に記載の画像処理装置。
【請求項１４】
マスタページとバリアブルページとを組み合わせて印刷するバリアブルプリントを行う画像処理方法において、
前記マスタページと前記バリアブルページの境目近傍の色を比較する比較ステップと、前記マスタページと前記バリアブルページの境目近傍の色が類似する場合には、前記マスタページを、前記バリアブルページの色と類似しない色のマスタページに変更する変更ステップと
前記変更されたマスタページと前記バリアブルページを組み合わせて印刷する印刷ステップと
を含むことを特徴とする画像処理方法。
【請求項１５】
前記変更ステップは、前記バリアブルページの色と類似しない色の複数種のマスタページをユーザに提示し、前記マスタページを前記ユーザにより選択されたマスタページに変更することを特徴とする請求項１４に記載の画像処理方法。
【請求項１６】
前記比較ステップは、前記マスタページと前記バリアブルページ境目近傍の色のＹ、Ｍ、Ｃ、Ｂｋ各成分の濃度を比較することを特徴とする請求項１４又は１５に記載の画像処理方法。
【請求項１７】
前記マスタページと前記バリアブルページの境目近傍の色が類似する場合には、ユーザに対して警告を送信する警告ステップを更に備えることを特徴とする請求項１４又は１５に記載の画像処理方法。
【請求項１８】
マスタページとバリアブルページとを組み合わせて印刷するバリアブルプリントを行う画像処理方法において、
前記マスタページと前記バリアブルページの境目近傍の色を比較する比較ステップと、前記マスタページと前記バリアブルページの境目近傍の色が類似する場合には、ユーザからの指示にしたがって、前記マスタページを変更する変更ステップと
前記変更されたマスタページと前記バリアブルページを組み合わせて印刷する印刷ステップと
を含むことを特徴とする画像処理方法。
【請求項１９】
前記マスタページと前記バリアブルページの境目近傍の色が類似する場合には、ユーザに対して警告を送信する警告ステップを更に備えることを特徴とする請求項１８に記載の画像処理方法。
【請求項２０】
前記警告ステップは、複数の警告先に警告を送信することを特徴とする請求項１９に記載の画像処理方法。
【請求項２１】
前記警告ステップは、前記類似の程度に応じて警告先又は警告に伴う動作を選択することを特徴とする請求項１９に記載の画像処理方法。
【請求項２２】
前記警告に伴う動作は、印刷停止、印刷続行又は印刷データの破棄であることを特徴とする請求項２１に記載の画像処理方法。
【請求項２３】
マスタページとバリアブルページとを組み合わせて印刷するバリアブルプリントを行うプログラムにおいて、
前記マスタページと前記バリアブルページの境目近傍の色を比較する比較ステップと、前記マスタページと前記バリアブルページの境目近傍の色が類似する場合には、前記マスタページを、前記バリアブルページの色と類似しない色のマスタページに変更する変更ステップと
前記変更されたマスタページと前記バリアブルページを組み合わせて印刷する印刷ステップと
をコンピュータに実行させるためのプログラム。
【請求項２４】
マスタページとバリアブルページとを組み合わせて印刷するバリアブルプリントを行うプログラムにおいて、
前記マスタページと前記バリアブルページの境目近傍の色を比較する比較ステップと、前記マスタページと前記バリアブルページの境目近傍の色が類似する場合には、ユーザからの指示にしたがって、前記マスタページを変更する変更ステップと
前記変更されたマスタページと前記バリアブルページを組み合わせて印刷する印刷ステップと
をコンピュータに実行させるためのプログラム。
【請求項２５】
第一のマスタページとバリアブルページにあるオブジェクトのエッジ近傍の色を比較する比較手段と、
前記第一のマスタページと前記オブジェクトのエッジ近傍の色の差が所定のしきい値よりも小さい場合、前記第一のマスタページを前記オブジェクトの色と類似しない色である第二のマスタページに変更する変更手段と
を備えることを特徴とする画像処理装置。
【請求項２６】
前記変更手段は、前記オブジェクトの色と類似しない色のマスタページを提示し、前記マスタページの中から選択された第二のマスタページに変更することを特徴とする請求項２５に記載の画像処理装置。
【請求項２７】
第一のマスタページとバリアブルページにあるオブジェクトのエッジ近傍の色を比較する比較ステップと、
前記第一のマスタページと前記オブジェクトのエッジ近傍の色の差が所定のしきい値よりも小さい場合、前記第一のマスタページを前記オブジェクトの色と類似しない色である第二のマスタページに変更する変更ステップと
を含むことを特徴とする画像処理方法。
【請求項２８】
コンピュータに、
第一のマスタページとバリアブルページにあるオブジェクトのエッジ近傍の色を比較する比較ステップと、
前記第一のマスタページと前記オブジェクトのエッジ近傍の色の差が所定のしきい値よりも小さい場合、前記第一のマスタページを前記オブジェクトの色と類似しない色である第二のマスタページに変更する変更ステップと
を実行させるためのプログラム。